【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
ピアツーピアコンピュータ環境での通信のためのコンピュータに実装された方法であって、前記方法は、
ピアノードであるピアプロバイダノードコンピュータシステムにおいてユーザから、秘密キーで署名された要求を受信し、
公開キーが前記秘密キーの正当性を証明すると、前記ユーザがユーザ要求に応じて通信のためにピアツーピアコンピュータ環境を用いることができるように、前記ユーザに前記ピアプロバイダノードコンピュータシステムから複数の潜在ピアを提供し、
前記ユーザにおいて前記複数の潜在ピアから中継ピアを選択し、
前記複数の潜在ピアのひとつである中継ピアにおいて、前記ユーザから前記通信の一部を受信し、
前記中継ピアから少なくとも一人の他のユーザへ前記通信の前記一部を送信し、
前記通信の間に前記通信に関するフィードバックを前記中継ピアから前記ユーザに送信する、ことを備え、
前記ユーザは前記複数の潜在ピアのそれぞれとコンタクトし、前記複数の潜在ピアの通信能力およびハードウェア能力にもとづいて前記ユーザを介して前記中継ピアが選択され、前記中継ピアは前記通信のためのものであり、
前記通信の前記一部の受信は、前記通信の調整されたパラメータでなされ、
前記通信の前記一部は、前記一部に対する異なる誤り保護スキームで受信される方法。
【請求項２】
請求項１に記載のコンピュータに実装された方法であって、
前記複数の潜在ピアのひとつであるストレージピアにおいて前記利用者から秘密キーにより署名されている要求を受信し、
公開キーが前記秘密キーの正当性を証明すると、暗号化されたプロファイル情報を前記ユーザに提供する、ことを更に備える方法。
【請求項３】
請求項１に記載のコンピュータに実装された方法であって、
前記通信の間に前記中継ピアにおいて前記ユーザから前記通信の前記一部を受信するのを終了し、
第２中継ピアにおいて前記ユーザから前記通信の前記一部を受信し、
前記第２中継ピアから少なくとも一人の他のユーザに前記通信の前記一部を送信する、ことを更に備える方法。
【請求項４】
請求項１に記載のコンピュータに実装された方法であって、
前記中継ピアは、前記通信の前記一部を複製し、複数の他のユーザに前記複製された前記一部を送信する、ことを特徴とする方法。
【請求項５】
請求項１から４のいずれかに記載のコンピュータに実装された方法であって、
前記通信の前記一部は、前記一部の調整された符号化レートで受信される、ことを特徴とする方法。
【請求項６】
請求項１から４のいずれかに記載のコンピュータに実装された方法であって、
前記通信の前記一部は、前記一部の調整されたリゾリューションで受信される、ことを特徴とする方法。
【請求項７】
請求項１から４のいずれかに記載のコンピュータに実装された方法であって、
前記通信の前記一部は、前記一部に対する異なるコーデックで受信される、ことを特徴とする方法。
【請求項８】
請求項１から４のいずれかに記載のコンピュータに実装された方法であって、
前記潜在ピアである複数の中継ピアにおいて、ユーザから複数の通信の一部を受信し、
前記複数の中継ピアから、少なくとも一人の他のユーザに前記複数の前記通信の一部を送信し、
前記複数の中継ピアのそれぞれは、前記複数の前記通信の前記一部のうち異なる一部をそれぞれ受信する、ことを特徴とする方法。
【請求項９】
請求項１から４のいずれかに記載のコンピュータに実装された方法であって、
前記通信は、音声通信である、ことを特徴とする方法。
【請求項１０】
請求項１から４のいずれかに記載のコンピュータに実装された方法であって、
前記通信は、動画通信である、ことを特徴とする方法。
【請求項１１】
請求項１から４のいずれかに記載のコンピュータに実装された方法であって、
前記通信は、マルチパーティ通信である、ことを特徴とする方法。
【請求項１２】
請求項１から４のいずれかに記載のコンピュータに実装された方法であって、
前記ユーザ要求は、ピアツーピアコンピュータ環境を通じた前記通信で利用される経路の推定された地理的距離を減らすことである、ことを特徴とする方法。
【請求項１３】
請求項１から４のいずれかに記載のコンピュータに実装された方法であって、
前記ユーザ要求は、ピアツーピアコンピュータ環境を通じた通信で利用されるホップ数を減らすことである、ことを特徴とする方法。
【請求項１４】
請求項１から４のいずれかに記載のコンピュータに実装された方法であって、
前記ユーザ要求は、ピアツーピアコンピュータ環境を通じた通信の往復時間を減らすことである、ことを特徴とする方法。
【請求項１５】
コンピュータシステムにピアツーピアコンピュータ環境での通信のステップをコンピュータシステムに実行させるための命令が一体化されて保持されるコンピュータ利用可能保存媒体であって、前記通信のステップは、
ピアノードであるピアプロバイダノードコンピュータシステムにおいてユーザから、秘密キーで署名された要求を受信し、
公開キーが前記秘密キーの正当性を証明すると、前記ユーザがユーザ要求に応じて通信のためにピアツーピアコンピュータ環境を用いることができるように、前記ユーザに前記ピアプロバイダノードコンピュータシステムから複数の潜在ピアを提供し、
前記ユーザにおいて前記複数の潜在ピアから中継ピアを選択し、
前記複数の潜在ピアのひとつである中継ピアにおいて、前記ユーザから前記通信の一部を受信し、
前記中継ピアから少なくとも一人の他のユーザへ前記通信の前記一部を送信し、
前記通信の間に前記通信に関するフィードバックを前記中継ピアから前記ユーザに送信する、ことを備え、
前記ユーザは前記複数の潜在ピアのそれぞれとコンタクトし、前記複数の潜在ピアの通信能力およびハードウェア能力にもとづいて前記ユーザを介して前記中継ピアが選択され、前記中継ピアは前記通信ためのものであり、
前記通信の前記一部の受信は、前記通信の調整されたパラメータでなされ、
前記通信の前記一部は、前記一部に対する異なる誤り保護スキームで受信されるコンピュータ利用可能保存媒体。
【請求項１６】
請求項１５に記載のコンピュータ利用可能保存媒体であって、
前記潜在ピアのひとつであるストレージピアにおいて前記利用者から秘密キーにより署名されている要求を受信し、
公開キーが前記秘密キーの正当性を証明すると、暗号化されたプロファイル情報を前記ユーザに提供する、ことを更に備えるコンピュータ利用可能保存媒体。
【請求項１７】
請求項１５に記載のコンピュータ利用可能保存媒体であって、
前記通信の間に前記中継ピアにおいて前記ユーザから前記通信の前記一部を受信するのを終了し、
第２中継ピアにおいて前記ユーザから前記通信の前記一部を受信し、
前記第２中継ピアから少なくとも一人の他のユーザに前記通信の前記一部を送信する、ことを更に備えるコンピュータ利用可能保存媒体。
【請求項１８】
請求項１５から１７のいずれかに記載のコンピュータ利用可能保存媒体であって、
前記中継ピアは、前記通信の前記一部を複製し、複数の他のユーザに前記複製された前記一部を送信する、ことを特徴とするコンピュータ利用可能保存媒体。
【請求項１９】
請求項１５から１７のいずれかに記載のコンピュータ利用可能保存媒体であって、
前記通信の前記一部は、前記一部の調整された符号化レートで受信される、ことを特徴とするコンピュータ利用可能保存媒体。
【請求項２０】
請求項１５から１７のいずれかに記載のコンピュータ利用可能保存媒体であって、
前記通信の前記一部は、前記一部の調整されたリゾリューションで受信される、ことを特徴とするコンピュータ利用可能保存媒体。
【請求項２１】
請求項１５から１７のいずれかに記載のコンピュータ利用可能保存媒体であって、
前記通信の前記一部は、前記一部の異なるコーデックで受信される、ことを特徴とするコンピュータ利用可能保存媒体。
【請求項２２】
請求項１５から１７のいずれかに記載のコンピュータ利用可能保存媒体であって、
前記潜在ピアである複数の中継ピアにおいて、ユーザから複数の通信の一部を受信し、
前記複数の中継ピアから、少なくとも他の一のユーザに前記複数の前記通信の一部を送信し、
前記複数の中継ピアのそれぞれは、前記複数の前記通信の前記一部のうち異なる一部をそれぞれ受信する、ことを特徴とするコンピュータ利用可能保存媒体。
【請求項２３】
請求項１５から１７のいずれかに記載のコンピュータ利用可能保存媒体であって、
前記通信は、音声通信である、ことを特徴とするコンピュータ利用可能保存媒体。
【請求項２４】
請求項１５から１７のいずれかに記載のコンピュータ利用可能保存媒体であって、
前記通信は、動画通信である、ことを特徴とするコンピュータ利用可能保存媒体。
【請求項２５】
請求項１５から１７のいずれかに記載のコンピュータ利用可能保存媒体であって、
前記通信は、マルチパーティ通信である、ことを特徴とするコンピュータ利用可能保存媒体。
【請求項２６】
請求項１５から１７のいずれかに記載のコンピュータ利用可能保存媒体であって、
前記ユーザ要求は、ピアツーピアコンピュータ環境を通じた前記通信で利用される経路の推定された地理的距離を減らすことである、ことを特徴とするコンピュータ利用可能保存媒体。
【請求項２７】
請求項１５から１７のいずれかに記載のコンピュータ利用可能保存媒体であって、
前記ユーザ要求は、ピアツーピアコンピュータ環境を通じた通信で利用されるホップ数を減らすことである、ことを特徴とするコンピュータ利用可能保存媒体。
【請求項２８】
請求項１５から１７のいずれかに記載のコンピュータ利用可能保存媒体であって、
前記ユーザ要求は、ピアツーピアコンピュータ環境を通じた通信の往復時間を減らすことである、ことを特徴とするコンピュータ利用可能保存媒体。
【請求項２９】
ユーザから、秘密キーにより署名された要求を受信するように構成され、更に、公開キーが前記秘密キーの正当性を証明すると、前記ユーザがユーザ要求に応じて通信のためにピアツーピアコンピュータ環境を用いることができるように、前記ユーザに複数の潜在ピアを提供するように構成されたピアプロバイダノードと、
前記ユーザの識別を確認し、前記ユーザの前記識別が証明された場合に、ユーザプロファイルに関する暗号化されたコンタクト情報を前記ユーザに関連づけられたデバイスに提供するためのストレージピアであって、前記ピアプロバイダノードを介して前記ユーザに提供されるストレージピアと、
前記ユーザから前記通信の一部を受信するように構成され、第２ユーザに前記通信の前記一部を送信するように構成された少なくとも一つの中継ピアとを含み、
前記少なくともひとつの中継ピアは、前記ユーザを介して前記複数の潜在ピアから選択されるものであり、前記ユーザは前記複数の潜在ピアのそれぞれとコンタクトし、前記中継ピアは前記複数の潜在ピアの通信能力およびハードウェア能力にもとづいて選択され、
前記複数の潜在ピアのひとつである中継ピアにおいて、前記ユーザから前記通信の一部を受信し、
前記中継ピアから少なくとも一人の他のユーザへ前記通信の前記一部を送信し、
前記通信の間に前記通信に関するフィードバックを前記中継ピアから前記ユーザに送信し、
前記通信の前記一部の受信は、前記通信の調整されたパラメータでなされ、
前記通信の前記一部は、前記一部に対する異なる誤り保護スキームで受信されることを特徴とするピアツーピアコンピュータ環境での通信のシステム。
【請求項３０】
請求項２９に記載のシステムであって、
前記通信の異なる一部を受信するように構成され、更に前記第２ユーザに前記通信の前記一部を送るように構成された複数の中継ピアを更に備えることを特徴とするシステム。
【請求項３１】
請求項２９または３０に記載のシステムであって、
前記少なくとも一つの中継ピアは、更に、前記通信の前記一部を複製し、マルチパーティ通信における複数の他のユーザに前記一部の前記複製された部分を送信するように構成されている、ことを特徴とするシステム。